(57)【要約】【課題】従来の混信防止機能付無線通信装置は、混信した際に混信しない周波数帯に変更するので、空いている周波数帯が存在しない場合は混信しない周波数帯に変更できず混信は避けられないという問題点を有していたが、これを解決することを目的とする。【解決手段】無線通信の送受信を行う無線モジュール１１と、無線モジュール１１の出力の受信信号から混信しているか否か、あるいは、混信の程度を検出する混信検出回路１２と、混信検出回路１２が混信を検出した際、あるいは、混信の程度が予め設定されている閾値を超えた際に周りの無線通信装置を制御し混信しない状態で時分割での無線通信を行うように制御する時分割制御回路１３を備えることにより、空いている周波数帯がない場合や使用できない場合でも混信なく無線通信を実現することができるという優れた効果が得られる。【選択図】図１
2007195084.tif 000002
【特許請求の範囲】
【請求項１】
無線通信の送受信を行う無線モジュールと、
前記無線モジュールの出力の受信信号から混信しているか否か、あるいは、混信の程度を検出する混信検出回路と、
前記混信検出回路が混信を検出した際、あるいは、混信の程度が予め設定されている閾値を超えた際に周りの無線通信装置を混信しない状態で時分割での無線通信を行うように制御する時分割制御回路と、
を備えたことを特徴とする無線通信装置。
【請求項２】
前記時分割制御回路は、予め無線通信のグループ毎に優先順位を設定しておき、この優先順位を時分割の占有率に反映させるという制御を行わせることを特徴とする請求項１記載の無線通信装置。
【発明の詳細な説明】
【技術分野】
【０００１】
本発明は混信防止機能付無線通信装置に関するものである。
【背景技術】
【０００２】
近年、無線通信装置によるオフィス内外や家庭内の通信が普及してきている。
【０００３】
以下に従来の混信防止機能付無線通信装置について説明する。
【０００４】
図４は従来の無線通信装置のブロック図を示すものである。図４において、３１は無線通信の送受信を行う無線モジュール、３２は無線モジュール３１の出力の受信信号から混信しているか否かを検出する混信検出回路、３３は混信検出回路３２が混信を検出した際に無線通信に使用する周波数帯を変更する周波数帯制御回路である。
【０００５】
以上のように構成された従来の無線通信装置について、以下その動作について説明する。
【０００６】
まず、無線モジュール３１が無線電波を受信し、混信検出回路３２が無線モジュール３１の出力の受信信号から混信しているか否かを検出する。混信していると検出された場合、周波数帯制御回路３３は無線通信に使用する周波数帯を混信しない周波数帯に変更する。
【０００７】
なお、混信の検知の方法は特許文献１にも記載があり、本願の主題とも離れるので具体的な手法の説明は省略する。
【特許文献１】特開平６−３５０５２６号公報
【発明の開示】
【発明が解決しようとする課題】
【０００８】
しかしながら上記の従来の構成では、混信した際に混信しない周波数帯に変更するので、空いている周波数帯が存在しない場合は、混信は避けられないという問題点を有していた。
【０００９】
本発明は上記従来の問題点を解決するもので、混信した際に空いている周波数帯がない場合や使用できない場合でも混信なく通信を行うことのできる無線通信装置を提供することを目的とする。
【課題を解決するための手段】
【００１０】
本発明の請求項１に記載の発明は、無線通信の送受信を行う無線モジュールと、前記無線モジュールの出力の受信信号から混信しているか否か、あるいは、混信の程度を検出する混信検出回路と、前記混信検出回路が混信を検出した際、あるいは、混信の程度が予め設定されている閾値を超えた際に周りの無線通信装置を混信しない状態で時分割での無線通信を行うように制御する時分割制御回路と、を備えたことを特徴とする無線通信装置としたものであり、混信した際に空いている周波数帯がない場合や使用できない場合でも混信なく無線通信を実現することができるという作用を有する。
【００１１】
請求項２に記載の発明は、時分割制御回路は、予め無線通信のグループ毎に優先順位を設定しておき、この優先順位を時分割の占有率に反映させるという制御を行わせることを特徴とする請求項１記載の無線通信装置としたものであり、予めグループ毎に優先順位を設定しておき、時分割の占有率に反映させたり、他方に優先権を与えたり、他方に割り込ませない制御を行わせることができるという作用を有する。
【発明の効果】
【００１２】
以上のように本発明は、空いている周波数帯がない場合や使用できない場合でも混信なく無線通信を実現することができるという優れた効果が得られる。
【発明を実施するための最良の形態】
【００１３】
以下、本発明の実施の形態について、図１を用いて説明する。
【００１４】
（実施の形態１）
図１は本発明の無線通信装置のブロック図である。
【００１５】
図１において、１１は無線通信の送受信を行う無線モジュール、１２は無線モジュール１１の出力の受信信号から混信しているか否か、あるいは、混信の程度を検出する混信検出回路、１３は混信検出回路１２が混信を検出した際、あるいは、混信の程度が予め設定されている閾値を超えた際に周りの無線通信装置を制御し混信しない状態で時分割での無線通信を行うように制御する時分割制御回路である。
【００１６】
図２は本発明の無線通信装置の動作説明を行うためのブロック図である。
【００１７】
図２において、無線モジュール１１、混信検出回路１２、時分割制御回路１３は上述の図１のものと同じものである。１０Ａは無線通信装置（Ａ）、１０Ｂは無線通信装置（Ｂ）、１０Ｃは無線通信装置（Ｃ）、１０Ｄは無線通信装置（Ｄ）であり、本発明の無線通信装置の一つである。
【００１８】
以上のように構成された無線通信装置について、図２を用いてその動作を説明する。まず、無線通信装置（Ａ）１０Ａ内の無線モジュール１１が無線電波を受信し、混信検出回路１２が無線モジュール１１の出力の受信信号から混信しているか否かを検出する。混信していると検出された場合、時分割制御回路１３が混信検出回路１２が混信を検出した際に周りの無線通信装置の無線通信装置（Ｂ）、無線通信装置（Ｃ）、無線通信装置（Ｄ）を制御し混信しない状態で時分割での無線通信を行うように制御するものである。
【００１９】
図３は混信を検知したときの時分割処理にとる混信回避の過程を示したタイミングチャートである。これを実現するためには以下の点を予め定める。
(１)通信データはパケット化して、そのパケット長とパケットの送受信周期を定める。これを決めておくことで混信の頻度の計測と、パケット長とパケットの送受信周期から他のグループが同じチャンネルで通信をしていることが判定できる。
(２)時分割の処理を開始するグループの優先順位を定める。混信を先に検知したグループが先にパケットの送受信の時分割処理をする。混信の検知はパケット長とパケットの送受信周期から判定する。
(３)混信を後で検知したグループは、混信の多い期間を検知し、混信の少ない期間でパケットの送受信をするように時分割処理をする。
(４)混信を後で検知したグループは更に混信を検出した場合は、より混信の少なくなるようにパケットの送受信タイミングの位相を可変制御する。
【００２０】
図３（ａ）ではほとんど全ての期間で混信を検知される。先に混信を検知したのがＡ−Ｂのグループとすると、Ａ−Ｂグループはパケットの送受信周期を２周期に１回の時分割処理する。図３（ｂ）では混信の頻度は半分になったがまだ混信があるために、決まりに従ってＡ−Ｂグループは何もせず、Ｃ−Ｄグループは混信の多い期間を検知し、少ない期間でのパケットの送受信に時分割処理する（図３（ｃ））。さらに混信を検知した場合は決まりに従ってＣ−Ｄグループは混信がより少なくなるようにパケットの送受信タイミングの位相を可変制御する（図３（ｃ））。
【００２１】
以上のように本実施の形態によれば、混信検出回路１２が混信を検出した際に周りの無線通信装置を制御し混信しない状態で時分割での無線通信を行うように制御する時分割制御回路１３を設けることにより、空いている周波数帯がない場合や使用できない場合でも混信なく無線通信を実現することができる。
【００２２】
なお、図３の時分割処理の説明で、混信を先に検知したグループが先にパケットの送受信の時分割処理をすると説明したが予め時分割制御回路１３は予めグループ毎に優先順位を設定しておき、時分割の占有率に反映させてもよい。
【００２３】
また、上記の説明では２グループ４つの無線通信装置について説明したが、３グループ以上のときは混信の頻度を計測し、混信のグループ数を検出しそのグループ数でパケットの送受信の時分割処理を優先順位の決まりに従って行うものとしてもよいし、３以上のグループの混信が検出された場合は３番目以降のグループには割り込ませないような決まりとしても良い。
【００２４】
また、時分割処理をせずに予めグループ毎に優先順位を設定しておき、時分割の占有率に反映させたり、他方に優先権を与えたり、他方に割り込ませないという制御を行わせることもできる。
【産業上の利用可能性】
【００２５】
本発明にかかる無線通信装置は、混信した際に空いている周波数帯がない場合や使用できない場合でも混信なく無線通信を実現することができる。
【図面の簡単な説明】
【００２６】
【図１】本発明の実施の形態１における無線通信装置のブロック図
【図２】同実施の形態１における無線通信装置の動作説明のためのブロック図
【図３】混信を検知したときの時分割処理にとる混信回避の過程を示したタイミングチャート
【図４】従来の無線通信装置のブロック図
【符号の説明】
【００２７】
１０Ａ  無線通信装置（Ａ）
１０Ｂ  無線通信装置（Ｂ）
１０Ｃ  無線通信装置（Ｃ）
１０Ｄ  無線通信装置（Ｄ）
１１  無線モジュール
１２  混信検出回路
１３  時分割制御回路
３１  無線モジュール
３２  混信検出回路
３３  周波数帯制御回路
【図１】
2007195084.tif 000003
【図２】
2007195084.tif 000004
【図３】
2007195084.tif 000005
【図４】
2007195084.tif 000006